(57)【要約】【課題】  主基板を扉の裏面に設け、かつ、この主基板を正面基板と直接的に接続することによって、不正行為に関係するワイヤーハーネスを排除し、あるいは、ワイヤーハーネスに対する不正行為を確実に防止する不正防止型スロットマシンの提供を目的とする。【解決手段】  スロットマシン１は、遊技動作を制御する遊技制御用の主基板３０を、扉１２０の裏面に設け、かつ、主基板３０を、正面に配設された操作手段や表示手段を制御する正面基板４０と直接的に接続した構成としてある。【選択図】      図１
2006141539.tif 000002
【特許請求の範囲】
【請求項１】
筐体と、この筐体の正面側に開閉可能に取り付けられた扉とを備えてなるスロットマシンにおいて、
遊技動作を制御する遊技制御用の主基板を、前記扉の裏面に設け、かつ、前記主基板を、前記扉の正面に配設された操作手段，表示手段等を制御する正面基板と直接的に接続したことを特徴とする不正防止型スロットマシン。
【請求項２】
遊技動作を制御する遊技制御用の主基板に入力される入力信号のうち、不正行為に関係する所定の入力信号を送信するワイヤーハーネスを、他の信号に係るワイヤーハーネスから独立して設けたことを特徴とする請求項１記載の不正防止型スロットマシン。
【請求項３】
前記不正行為に関係する入力信号をシリアル信号としたことを特徴とする請求項１又は２記載の不正防止型スロットマシン。
【請求項４】
回動リール及びホッパーを筐体に設置したことを特徴とする請求項１〜３のいずれかに記載の不正防止型スロットマシン。
【請求項５】
前記正面基板と主基板とを、単一の統一基板としたことを特徴とする請求項１〜４のいずれかに記載の不正防止型スロットマシン。
【請求項６】
前記統一基板のうち少なくとも前記主基板に相当する部分を、不正防止ケースに収納したことを特徴とする請求項５記載の不正防止型スロットマシン。
【請求項７】
前記主基板又は正面基板に、遊技状態設定手段を実装したことを特徴とする請求項１〜６のいずれかに記載の不正防止型スロットマシン。
【請求項８】
前記主基板を、該主基板の表裏面が目視できるように、回動自在に設けたことを特徴とする請求項１〜７のいずれかに記載の不正防止型スロットマシン。
【発明の詳細な説明】
【技術分野】
【０００１】
本発明は、不正防止型スロットマシンに関し、特に、主基板を扉の裏面に設け、かつ、この主基板を正面基板と直接的に接続することによって、不正行為に関係するワイヤーハーネスを排除し、あるいは、ワイヤーハーネスに対する不正行為を確実に防止する不正防止型スロットマシンに関する。
【背景技術】
【０００２】
一般的に、スロットマシンは、遊技動作を制御する遊技制御用の回路基板（適宜、主基板と略称する。）が設けられている。この主基板には、マイクロコンピュータを構成するＭＰＵ，ＲＯＭ，ＲＡＭ等の電子部品が多数実装されている。
遊技動作を制御するプログラムが格納されたＲＯＭを交換することにより、たとえば、大当り等の特別遊技状態に連続的に当選する、あるいは、上記特別遊技状態に全く当選しないといった、ギャンブル性を高めた遊技内容を実現することが可能となる。このため、主基板は、不正防止ケース内に外部から隔離された状態で収納され、ＲＯＭ交換などの不正行為が行なわれないように防御対策が施されている。
【０００３】
たとえば、特許文献１には、外部接続コネクタ周辺の結線パターンを利用した不正行為を防止することを目的として、コネクタ実装領域に結線パターンを被覆する被覆部材を取り付ける構成とした遊技機の基板収納ボックスの技術が開示されている。
この技術によれば、コネクタの結線パターンを被覆することで、結線パターンを利用した不正行為が防止できる。なお、不正防止ケースは、外から目視検査を行えるように、無色透明な材料が使用されている。
【０００４】
（従来例）
次に、従来例にかかるスロットマシンについて、図面を参照して説明する。
図５は、従来例にかかるスロットマシンの主基板の取付け状態を説明するための要部の概略斜視図を示している。
同図において、スロットマシン１００は、箱状の筐体１１０と、この筐体１１０に回動自在に取り付けられた扉１２０を備えている。
【０００５】
筐体１１０は、上から順に、不正防止ケース１３０ａに収納された主基板１３０，ドラム基板１３３，回動リール１１１，及び，遊技状態設定手段としての設定用キースイッチ１３１が設けられた電源ユニット１１２が配設してある。
また、扉１２０は、上から順に、表示基板１４１，蛍光灯（図示せず）を点灯させるインバータ基板１４２，及び，“コ”の字状に成形された正面基板１４０が配設してある。正面基板１４０は、フラットケーブルからなるワイヤーハーネス１５０によって主基板１３０と接続されている。
なお、その他の基板及びワイヤーハーネスは、理解しやすいように省略してある。
【０００６】
また、図６は、従来例にかかるスロットマシンの要部の概略ブロック図を示している。
同図において、主基板１３０は、電源基板１３２，ドラム基板１３３及び正面基板１４０と入出力可能に接続されており、また、外部端子板１３４及びサブ制御基板１３５と出力可能に接続されている。
なお、スロットマシン１００は、上記基板の他にも様々な基板，センサ，スイッチ等を備えているが、理解しやすいように省略してある。
【０００７】
電源基板１３２は、設定用キースイッチ１３１から大当り等の抽選確率を設定する設定用キースイッチ信号を入力し、主基板１３０に出力する。
また、ドラム基板１３３は、ドラムポジション信号を主基板１３０に出力し、回動パルス信号を入力する。
さらに、正面基板１４０は、スタートスイッチ１４３からスタート信号を入力し、主基板１３０に出力する。また、正面基板１４０は、各回動停止ボタン１４４，１４５，１４６から各回動停止信号を入力し、各回動停止信号ごとに用意されたケーブルを介して、主基板１３０に出力する。さらに、正面基板１４０は、主基板１３０から表示信号などを入力する。
【０００８】
なお、本発明の解決手段に関連する技術として、リール装置及び主基板を前扉に取り付け、機種交換を行う際、前扉を交換することにより、リール装置及び主基板をも交換することの可能なスロットマシンの技術が開示されている（特許文献２参照）。
この技術によれば、新旧の機種交換を容易に行うことができる。
【特許文献１】特開平１０−２８６３６５号公報
【特許文献２】特開２００１−９５９７３号公報
【発明の開示】
【発明が解決しようとする課題】
【０００９】
しかしながら、従来例にかかるスロットマシン１００は、主基板１３０が折角無色透明な不正防止ケース１３０ａに収納されているものの、筐体１１０の見ずらい位置に設けられているために、目視検査を容易にあるいは精度よく行うことができず、不正行為を効果的に抑制することができないといった問題があった。すなわち、主基板１３０等に不正手段が取り付けられても、発見できないために、不正行為を効果的に取り締まることができなかった。
【００１０】
また、スロットマシン１００に対する不正行為は、上述したＲＯＭ交換に限定されるものではない。
たとえば、スタート信号に関する不正行為として、電子機器から所定のタイミングで偽のスタート信号を主基板１３０に出力することにより、乱数抽選タイミングを制御して大当り等の特別遊技状態に当選するといった不正行為がある。この不正行為では、ワイヤーハーネス１５０から偽のスタート信号が入力されるが、フラットケーブルからなるワイヤーハーネス１５０の裏面に取り付けられた不正手段を容易に発見できず、効果的に防止することができないといった問題があった。
【００１１】
また、設定用キースイッチ信号に関する不正行為として、高確率の設定信号を主基板１３０に出力することにより、大当り等の特別遊技状態に高確率で当選するように設定を変更するといった不正行為がある。この不正行為は、電源基板１３２と主基板１３０とを接続するワイヤーハーネス（図示せず）が露出しているので容易に細工することができるといった問題があった。
【００１２】
本発明は、上記の事情にかんがみなされたものであり、主基板を扉の裏面に設け、かつ、この主基板を正面基板と直接的に接続することによって、不正行為に関係するワイヤーハーネスを排除し、あるいは、ワイヤーハーネスに対する不正行為を確実に防止する不正防止型スロットマシンの提供を目的とする。
【課題を解決するための手段】
【００１３】
この目的を達成するため、本発明の不正防止型スロットマシンは、筐体と、この筐体の正面側に開閉可能に取り付けられた扉とを備えてなるスロットマシンにおいて、遊技動作を制御する遊技制御用の主基板を、前記扉の裏面に設け、かつ、前記主基板を、前記扉の正面に配設された操作手段，表示手段等を制御する正面基板と直接的に接続した構成としてある。
このようにすると、正面基板から主基板へ信号を送信するためのワイヤーハーネスを設ける必要がなくなるので、あるいは、このワイヤーハーネスの長さを大幅に短くすることができるので、上記ワイヤーハーネスに対する不正行為を確実に防止することができる。また、扉を開けると、主基板が見やすい位置にあるので、主基板を容易にかつ精度よく目視検査することができ、主基板に対する不正行為を効果的に防止することができる。
【００１４】
また、本発明は、遊技動作を制御する遊技制御用の主基板に入力される入力信号のうち、不正行為に関係する所定の入力信号を送信するワイヤーハーネスを、他の信号に係るワイヤーハーネスから独立して設けた構成としてある。
このようにすると、不正行為に関係するワイヤーハーネスを他のワイヤーハーネスから分離でき、たとえば、数本のケーブルからなるワイヤーハーネスとすることができ、不正行為に関係するワイヤーハーネスに対する検査を効率よく行うことができる。
【００１５】
また、本発明は、前記不正行為に関係する入力信号をシリアル信号とした構成としてある。
このようにすると、不正行為に関係するワイヤーハーネスの芯数をさらに低減することができ、ワイヤーハーネスに対する検査をさらに効率よく行うことができる。
【００１６】
また、本発明は、回動リール及びホッパーを筐体に設置した構成としてある。
このようにすると、扉を開けた状態のスペースが広くなるので、主基板や正面基板の目視検査性を向上させることができ、不正行為をより効果的に防止することができる。
【００１７】
また、本発明は、前記正面基板と主基板とを、単一の統一基板とした構成としてある。
このようにすると、正面基板から主基板へ信号を送信するためのワイヤーハーネスを設ける必要がなくなるので、ワイヤーハーネスに対する不正行為を効果的に防止することができる。
【００１８】
また、本発明は、前記統一基板のうち少なくとも前記主基板に相当する部分を、不正防止ケースに収納した構成としてある。
このようにすると、主基板に相当する部分に対して、効果的に不正行為を防止することができる。
【００１９】
また、本発明は、前記主基板又は正面基板に、遊技状態設定手段を実装した構成としてある。
このようにすると、ワイヤーハーネスを介して遊技状態設定信号を出力しなくてもすむので、ワイヤーハーネスに対する不正行為を防止することができる。
【００２０】
また、本発明は、前記主基板を、該主基板の表裏面が目視できるように、回動自在に設けた構成としてある。
このようにすると、主基板の表裏面に対して容易に目視検査を行うことができるので、不正行為を効率よく取り締まることができる。
【発明の効果】
【００２１】
このように、本発明にかかる不正防止型スロットマシンによれば、主基板を扉の裏面に設けることにより、不正行為を容易に行えるようにも見えるが、扉を開けると主基板が見やすい位置にあるので、主基板を容易にかつ精度よく目視検査することができ、主基板に対する不正行為を効果的に防止することができる。また、主基板を正面基板と直接的に接続することによって、不正行為に関係するワイヤーハーネスを排除し、ワイヤーハーネスに対する不正行為を確実に防止することができる。さらに、不正行為に関係するワイヤーハーネスの独立化によって、ワイヤーハーネスに対する不正行為を確実に防止することができる。
【発明を実施するための最良の形態】
【００２２】
［第一実施形態］
図１は、本発明の第一実施形態にかかるスロットマシンの主基板の取付け状態を説明するための要部の概略斜視図を示している。
同図において、筐体１１０と、この筐体１１０の正面側に開閉可能に取り付けられた扉１２０とを備えてなる不正防止型スロットマシン１（適宜、スロットマシン１と略称する。）は、従来例のスロットマシン１００と比較して、遊技動作を制御する遊技制御用の主基板３０を、扉１２０の裏面に設け、かつ、スロットマシン１の正面に配設された操作手段や表示手段（図示せず）等を制御する正面基板４０と主基板３０とを、コネクタ４１，３３を介して直接的に接続した点が相違する。他の構成は、従来例のスロットマシン１００とほぼ同様としてある。
したがって、図１において、図６と同様の構成部分については同一の符号を付して、その詳細な説明を省略する。
【００２３】
主基板３０は、無色透明な不正防止ケース３２に収納された状態で、扉１２０の右側下部に取り付けられている。また、主基板３０は、不正防止ケース３２から露出した状態でコネクタ３３が実装されており、このコネクタ３３は、正面基板４０に実装されたコネクタ４１と接続されている。このようにすると、正面基板４０から主基板３０へ信号を送信するためのワイヤーハーネスを設ける必要がなくなるので、たとえば、従来例のスロットマシン１００におけるワイヤーハーネス１５０に対する不正行為を確実に防止することができる。
なお、本実施形態では、コネクタ３３，４１を介して、主基板３０と正面基板４０を直接接続してあるが、この構成に限定されるものではなく、たとえば、正面基板４０に金タブ（図示せず）を形成し、主基板３０に実装されたコネクタに金タブを直接接続してもよい。
【００２４】
ここで、好ましくは、回動リール１１１，電源ユニット１１２及びホッパー１１３を筐体１１０に設置した構成とするとよい。このようにすると、扉１２０を開けた状態のスペースが広くなるので、主基板３０や正面基板４０の目視検査性を向上させることができ、不正行為をより効果的に防止することができる。
【００２５】
また、さらに好ましくは、主基板３０に、遊技状態設定手段としての設定用キースイッチ１３１を実装した構成とするとよい。このようにすると、遊技状態設定信号（設定用キースイッチ信号）が主基板３０に配設されたサーキットによって送信され、遊技状態設定信号を送信するための外部に露出したワイヤーハーネスを設ける必要がなくなるので、ワイヤーハーネスに対する不正行為を効果的に防止することができる。
なお、本実施形態では、設定用キースイッチ１３１を主基板３０に実装してあるが、これに限定されるものではなく、たとえば、正面基板４０に実装してもよい。
【００２６】
上述したように本実施形態のスロットマシン１は、扉１２０を開けると、主基板３０が見やすい位置にあるので、主基板３０を容易にかつ精度よく目視検査することができ、主基板３０に対する不正行為を効果的に防止することができる。また、正面基板４０から主基板３０へ信号を送信するためのワイヤーハーネスを設ける必要がなくなるので、たとえば、従来例のワイヤーハーネス１５０に対する不正行為を確実に防止することができる。
なお、スロットマシン１は、従来例のスロットマシン１００と比較すると、主基板３０と正面基板４０とを接続するワイヤーハーネス１５０が無くなっているが、図２に示すように、電源基板１３２，ドラム基板１３３，外部端子板１３４及びサブ制御基板１３５と主基板３０とを接続するワイヤーハーネス（図示せず）が長くなるが、これらのワイヤーハーネスは、不正行為に関係しないので、不正行為に有利に作用することはない。
【００２７】
［第二実施形態］
図３は、本発明の第二実施形態にかかるスロットマシンを説明するための要部の概略斜視図を示している。
同図において、不正防止型スロットマシン１ａ（適宜、スロットマシン１ａと略称する。）は、従来例のスロットマシン１００と比較して、遊技動作を制御する遊技制御用の主基板３０を、扉１２０の裏面に設け、さらに、主基板３０に入力される入力信号のうち、不正行為に関係する所定の入力信号を送信するワイヤーハーネス５０ａを、他の信号に係るワイヤーハーネス５２から独立して設けた点が相違する。他の構成は、従来例のスロットマシン１００とほぼ同様としてある。
したがって、図３において、図５と同様の構成部分については同一の符号を付して、その詳細な説明を省略する。
【００２８】
主基板３０は、遊技状態設定手段としての設定用キースイッチ３１が実装されている。また、主基板３０は、主基板３０に入力される入力信号のうち、不正行為に関係する所定の入力信号、たとえば、スタート信号，遊技状態設定信号及び各回動停止信号を送信するワイヤーハーネス５０ａを、不正行為に関係しない信号を送信するワイヤーハーネス５２から独立して設けている。このようにすると、不正行為に関係するワイヤーハーネス５０ａを他のワイヤーハーネス５２から分離し、たとえば、数本（５本）のケーブルからなるワイヤーハーネス５０ａとすることができ、フラットケーブルに比べて目視検査性が向上するので、不正行為に関係するワイヤーハーネス５０ａに対する検査を効率よく行うことができる。
【００２９】
また、好ましくは、上記不正行為に関係する入力信号を、三つの回動停止信号をパラレルに三本のケーブルから送信する代わりに、シリアル信号とし一本のケーブルからシリアルに三つの回動停止信号を送信する構成とするとよい。このようにすると、不正行為に関係するワイヤーハーネスの芯数をさらに低減することができ、３本のケーブルからなるワイヤーハーネス５０ａとすることができ、不正行為に関係するワイヤーハーネス５０ａに対する検査をさらに効率よく行うことができる。
【００３０】
主基板３０は、無色透明な不正防止ケース３２ａに収納された状態で、扉１２０の上部に取り付けられている。
ここで、好ましくは、扉１２０の裏面に設けられた正面基板４０の近傍に、主基板３０を設けるとよく、このようにすると、正面基板４０と主基板３０を接続するワイヤーハーネス５０ａ，５２が短くなるので、ワイヤーハーネス５０ａに対する不正行為を抑止する効果があるとともに、ワイヤーハーネス５０ａを容易に目視検査することができ、ワイヤーハーネス５０ａに対する不正行為を効果的に防止することができる。
なお、ワイヤーハーネス５０ａを露出させることにより、目視検査性を向上させることができる。
【００３１】
また、さらに好ましくは、不正防止ケース３２ａの下部にヒンジ（図示せず）を設けて、主基板３０を下方向に回動自在に設けるとよい。このようにすると、不正防止ケース３２ａを上方向に保持する係止手段（図示せず）を解除し、主基板３０を下方向に回動させることによって、主基板３０の表裏面を容易にかつ精度よく目視検査することができ、主基板３０の裏面に対する不正行為をも効果的に防止することができる。
【００３２】
上述したように本実施形態のスロットマシン１ａは、扉１２０を開けると、主基板３０が見やすい位置にあるので、主基板３０を容易にかつ精度よく目視検査することができ、主基板３０に対する不正行為を効果的に防止することができる。
また、不正行為に関係するワイヤーハーネス５０ａが、フラットケーブルではなく数本のケーブルからなることによって、フラットケーブルのように裏面が形成されないので、この裏面に隠すように不正手段を設けることができなくなるとともに、目視検査性を向上させることができ、ワイヤーハーネス５０ａに対する不正行為を効果的に抑止することができる。
なお、本発明において、主基板３０を正面基板４０と直接的に接続するとは、本実施形態のように、短いワイヤーハーネス５０ａを用いる場合をも含むものとする。
【００３３】
［第三実施形態］
図４は、本発明の第三実施形態にかかるスロットマシンを説明するための要部の概略斜視図を示している。
同図において、不正防止型スロットマシン１ｂ（適宜、スロットマシン１ｂと略称する。）は、第一実施形態のスロットマシン１と比較して、主基板３０と正面基板４０とを接続する代わりに、これらを一体的に成形した単一の統一基板３００を備えた点が相違する。他の構成は、第一実施形態のスロットマシン１とほぼ同様としてある。
したがって、図４において、図１と同様の構成部分については同一の符号を付して、その詳細な説明を省略する。
【００３４】
統一基板３００は、正面基板部分４０ｂと主基板部分３０ｂとからなっており、主基板部分３０ｂが、正面基板部分４０ｂの下部に一体的に突設された構成としてある。このようにすると、主基板部分３０ｂと正面基板部分４０ｂとを接続するコネクタ等の接続手段を設ける必要がなくなるので、製造原価のコストダウンを図ることができる。
また、本実施形態では、主基板部分３０ｂを、不正防止ケース３２ｂに収納した構成としてあるので、主基板部分３０ｂに対して、効果的に不正行為を防止することができる。
【００３５】
このように、スロットマシン１ｂは、主基板部分３０ｂと正面基板部分４０ｂとを接続するためのワイヤーハーネスを設ける必要がなくなるので、ワイヤーハーネスに対する不正行為を効果的に防止することができる。
【００３６】
以上、本発明の不正防止型スロットマシンについて、好ましい実施形態を示して説明したが、本発明に係る不正防止型スロットマシンは、上述した実施形態にのみ限定されるものではなく、本発明の範囲で種々の変更実施が可能であることは言うまでもない。
【００３７】
たとえば、上記スロットマシン１ａは、三つのリール停止信号をパラレルに三本のケーブルから送信する代わりに、シリアル化し一本のケーブルからシリアルに三つのリール停止信号を送信する構成としてあるが、パラレル化する信号は三つのリール停止信号に限定されるものではない。たとえば、不正行為に関係する信号や主要な信号をデジタル化（暗号化）してもよく、このようにすると、不正行為者が不正にスロットマシンを操作するには、まず、デジタル化のルールを解析する必要があり、メーカが複数のルールをランダムに使用することにより、この解析はほぼ不可能となり、不正行為を防止することができる。
【００３８】
また、各実施形態のスロットマシン１，１ａ，１ｂは、他の実施形態の有効な構成を、許容可能な内容に限り組み合わせることも可能であり、このようにすると、さらに確実に不正行為を防止又は抑制することができる。
【産業上の利用可能性】
【００３９】
本発明の不正防止型スロットマシンは、スロットマシンに限定されるものではなく、たとえば、パチンコ遊技機等の遊技機は勿論、外部から回路基板への不正行為を防止する必要のある対象物に広く適用することが可能である。
【図面の簡単な説明】
【００４０】
【図１】本発明の第一実施形態にかかるスロットマシンの主基板の取付け状態を説明するための要部の概略斜視図を示している。
【図２】本発明の第一実施形態にかかるスロットマシンの要部の概略ブロック図を示している。
【図３】本発明の第二実施形態にかかるスロットマシンを説明するための要部の概略斜視図を示している。
【図４】本発明の第三実施形態にかかるスロットマシンを説明するための要部の概略斜視図を示している。
【図５】従来例にかかるスロットマシンの主基板の取付け状態を説明するための要部の概略斜視図を示している。
【図６】従来例にかかるスロットマシンの要部の概略ブロック図を示している。
【符号の説明】
【００４１】
１，１ａ，１ｂ  スロットマシン
３０  主基板
３０ｂ  主基板部分
３１  設定用キースイッチ
３２，３２ａ，３２ｂ  不正防止ケース
３３  コネクタ
４０  正面基板
４０ｂ  正面基板部分
４１  コネクタ
５０ａ  ワイヤーハーネス
５２  ワイヤーハーネス
１００  スロットマシン
１１０  筐体
１１１  回動リール
１１２  電源ユニット
１１３  ホッパー
１２０  扉
１３０  主基板
１３０ａ  不正防止ケース
１３１  設定用キースイッチ
１３２  電源基板
１３３  ドラム基板
１３４  外部端子板
１３５  サブ制御基板
１４０  正面基板
１４１  表示基板
１４２  インバータ基板
１４３  スタートスイッチ
１４５  第一回動停止ボタン
１４６  第二回動停止ボタン
１４７  第三回動停止ボタン
１５０  ワイヤーハーネス
３００  統一基板
【図１】
2006141539.tif 000003
【図２】
2006141539.tif 000004
【図３】
2006141539.tif 000005
【図４】
2006141539.tif 000006
【図５】
2006141539.tif 000007
【図６】
2006141539.tif 000008